(57)【特許請求の範囲】
【請求項１】
用紙の第１の枚数分のデータである第１の画像データを受付けるデータ入力部と、
前記第１の画像データのサイズを入力する第１サイズ入力部と、
前記第１サイズ入力部において入力されたサイズに従って、入力可能な出力サイズの範囲である可能出力範囲を算出するサイズ算出部と、
前記サイズ算出部の算出した前記可能出力範囲を表示するサイズ表示部と、
前記第１の画像データを、前記可能出力範囲内でユーザが任意に入力した出力サイズに従って画像のサイズを変更するよう加工することにより、用紙の第１とは異なる第２の枚数分のデータである第２の画像データに変換するデータ変換部とを含み、
前記サイズ算出部は、画像の縦方向の出力サイズの範囲と横方向の出力サイズの範囲を、互いに独立して、実寸法で、算出する、画像を処理する装置。
【請求項２】
前記サイズ算出部は、前記出力サイズが前記データ変換部での変換が可能な範囲内であり、かつ、前記第２の枚数が所定数以下であることを条件に、前記可能出力範囲を算出する、請求項１に記載の画像を処理する装置。
【請求項３】
前記データ変換部は、画像の縦方向のサイズと、画像の横方向のサイズを独立して変更するように加工するものである請求項１〜請求項２のいずれかに記載の画像を処理する装置。
【請求項４】
前記第２の画像データに従って画像を形成する画像形成部を有する請求項１〜請求項３のいずれかに記載の画像を処理する装置。
【請求項５】
前記サイズ算出部は、前記画像を処理する装置における画像を拡大する能力と、前記第１の画像データが対象とする用紙のサイズと前記第２の画像データが対象とする用紙のサイズとの関係とに基づいて、前記可能出力範囲を算出する、請求項１に記載の画像を処理する装置。
【発明の詳細な説明】
【０００１】
【発明の属する技術分野】
本発明は、画像を処理する装置に関し、特に、用紙の第１の枚数分のデータである第１の画像データを、ユーザの入力した出力サイズに従って画像のサイズを変更するよう加工することにより、用紙の第１とは異なる第２の枚数分のデータである第２の画像データに変換する画像を処理する装置に関する。
【０００２】
【従来の技術】
この種の従来の画像を処理する装置としては、たとえば１枚の原稿の画像を拡大し複数枚の用紙にわたってその画像を形成する拡大連写機能を有する画像形成装置が知られている。
【０００３】
この拡大連写機能の利用に際し、ユーザは、セットした原稿のサイズに応じたいくつかの出力サイズの中から所望の出力サイズを入力する。そして、画像形成装置は、その出力サイズに従って、原稿の画像を、拡大し、原稿より多い枚数のプリント用紙にわたって形成する。
【０００４】
【発明が解決しようとする課題】
しかし、従来の画像形成装置においては、ユーザが入力できる、原稿のサイズに応じた出力サイズには、Ａ４，Ｂ４等の定型のプリント用紙の全面に画像を形成する場合のサイズしかなかった。
【０００５】
つまり、１回の画像形成に際して使用するプリント用紙の枚数が決まってしまえば、前述の出力サイズは、プリント用紙の各定型毎に１通りしかなかったのである。
【０００６】
したがって、原稿の画像のサイズを変更して原稿とは枚数の異なるプリント用紙にその画像を形成する際に、画像形成装置は、ユーザが所望していても、たとえば画像を各プリント用紙に過剰の余白を残して形成するような出力サイズでは、画像を形成できなかった。
【０００７】
本発明は、かかる実情に鑑み考え出されたものであり、その目的は、原稿の画像を、サイズ変更し、原稿とは異なる枚数の用紙にわたって形成するときに、ユーザの所望のサイズで画像を形成できるための処理を行う画像を処理する装置を提供することである。
【０００８】
【課題を解決するための手段】
請求項１に記載の本発明に従った画像を処理する装置は、用紙の第１の枚数分のデータである第１の画像データを受付けるデータ入力部と、前記第１の画像データのサイズを入力する第１サイズ入力部と、前記第１サイズ入力部において入力されたサイズに従って、入力可能な出力サイズの範囲である可能出力範囲を算出するサイズ算出部と、前記サイズ算出部の算出した前記可能出力範囲を表示するサイズ表示部と、前記第１の画像データを、前記可能出力範囲内でユーザが任意に入力した出力サイズに従って画像のサイズを変更するよう加工することにより、用紙の第１とは異なる第２の枚数分のデータである第２の画像データに変換するデータ変換部とを含み、前記サイズ算出部は、画像の縦方向の出力サイズの範囲と横方向の出力サイズの範囲を、互いに独立して、実寸法で、算出することを特徴とする。
【０００９】
請求項１に記載の発明によると、画像を処理する装置は、第１の画像データを、縦方向と横方向について互いに独立して実寸法で算出された可能出力範囲内で、ユーザが任意に入力するサイズに従って、原稿とは枚数の異なる枚数分のデータである第２の画像データに変換することが可能である。
【００１０】
これにより、上記の第１の画像データを第２の画像データに変換する場合、ユーザの所望の倍率で画像を変換することが可能となる。
【００１１】
請求項２に記載の発明は、請求項１に記載の発明の構成に加えて、前記サイズ算出部は、前記出力サイズが前記データ変換部での変換が可能な範囲内であり、かつ、前記第２の枚数が所定数以下であることを条件に、前記可能出力範囲を算出することを特徴とする。
【００１２】
請求項２に記載の発明によると、請求項１に記載の発明の作用に加えて、画像を処理する装置は、第１の画像データを第２の画像データに変換する処理での出力サイズを、前記データ変換部での変換が可能な範囲内であり、かつ、第２の枚数が所定数以下になるように制限される。
【００１３】
これにより、画像を処理する装置が対応できない出力サイズは、受付けられなくなり、画像の処理がより速やかに行なわれる。
【００１４】
【発明の実施の形態】
以下、図面を用いて、本発明の実施の形態の一例を説明する。
【００１５】
図１は、本発明の画像を処理する装置の一例であるデジタルフルカラー複写機１（以下略して「複写機１」とする）の全体の構成を示す断面図である。
【００１６】
図１を参照して、複写機１は原稿を読取って画像信号に変換する走査系１０と、走査系１０から送られる画像信号を処理する画像信号処理部２０と、画像信号処理部２０から出力される画像データの記憶等を行なう画像メモリ３０と、画像メモリ３０から出力される画像データに基づいて半導体レーザ６１，６２を駆動する印字処理部４０と、半導体レーザ６１，６２からの２本のレーザ光を感光体ドラム７１上のお互いに異なった露光位置に導く光学系６０と、露光により形成された潜像を現像し用紙上に転写かつ定着して画像を形成する作像系７０と、本体の上面に設けられた操作パネル１０１（複写機１上面（紙面に垂直方向）に設置されている）と、原稿を搬送し必要に応じて表裏の反転を行なう原稿搬送部５００と、用紙を再度転写位置に供給するための再給紙部６００とを含む。
【００１７】
なお、走査系１０および画像信号処理部２０などによって読取装置ＩＲが構成され、印字処理部４０、光学系６０および作像系７０などによってプリンタ装置ＰＲＴが構成されている。
【００１８】
走査系１０は原稿台ガラス１８の下方を移動するスキャナ１９に組付けられた露光ランプ１１および第１ミラー１２と、固定ミラー１３ａ，１３ｂと、集光用のレンズ１４と、ＣＣＤアレイなどを用いた光電変換素子１６と、スキャンモータＭ２などから構成されている。なお、２１は、シェーディング補正用の白色板である。
【００１９】
また、原稿について、光電変換素子１６の走査方向であり図面の紙面と直交する方向を主走査方向と定義し、この主走査方向と直交し図中の矢印ｂで示す方向を副走査方向と定義した場合、読取装置ＩＲでは、原稿の主走査方向を光電変換素子１６の走査で読取り、副走査方向をスキャナ１９およびミラー１３ａ，１３ｂが矢印ｂ方向に従って平行に移動することにより走査させて読取る。
【００２０】
また、スキャナ１９の副走査方向の走査速度は、ミラー１３ａ，１３ｂの走査速度の２倍である。なお、複写倍率を変更する際は、等倍の複写時の走査速度に複写倍率の逆数をかけた走査速度で、それぞれの走査を行なうよう制御される。なお、複写機１においては、主走査方向と副走査方向について、設定可能な範囲であれば、同時に異なった倍率を設定することが可能である。
【００２１】
光電変換素子１６は、原稿内のレッド（以下「Ｒ」とする），グリーン（以下「Ｇ」とする）．ブルー（以下「Ｂ」とする）の各成分の画像をそれぞれ個別に電気信号に変換し、画像信号処理部２０に出力する。
【００２２】
画像信号処理部２０は、走査系１０の光電変換素子１６から出力される画像信号を電気的に処理し、マゼンタ（以下「Ｍ」とする），シアン（以下「Ｃ」とする），イエロー（以下「Ｙ」とする），ブラック（以下「Ｂｋ」とする）の各成分に分解して、画像メモリ３０に各成分の画像データを出力する。スキャナ１９における１回の原稿走査につき、上記のＭ，Ｃ，Ｙ，Ｂｋの４つの成分のうちの１成分の画像データを画像画像メモリ３０に出力し、４回の原稿走査により、１回のプリントアウトが完成する（面順次転送方式）。
【００２３】
印字処理部４０は、送られてきたＭ，Ｃ，Ｙ，Ｂｋの各成分の画像データの画像信号レベルに応じて半導体レーザ６１，６２を駆動変調する。光学系６０は、半導体レーザ６１，６２と、半導体レーザ６１，６２の２つのレーザ光を合成するダイクロミックミラー６３と、合成レーザビームを偏向するポリゴンミラー６５と、ポリゴンミラー６５を回転するモータ６４と、主レンズ６９と、反射ミラー６７ａ，６７ｂ，６７ｃなどから構成されている。
【００２４】
作像系７０は、現像転写系７０Ａ、搬送系７０Ｂおよび定着系７０Ｃから構成されている。
【００２５】
現像転写系７０Ａは、図１の反時計方向に回転駆動される感光体ドラム７１およびその周囲に回転方向の上流側から順に配置された第１帯電チャージャ７２、現像器７３ａ〜７３ｄ、転写チャージャ７４、分離チャージャ７５、クリーニング部７６などからなる。現像器７３ａ〜７３ｄは、Ｍ，Ｃ，Ｙ，Ｂｋの４つの各成分にそれぞれ対応しており、トナーとキャリアからなる２成分現像剤を収納している。なお、感光体ドラム７１は、感光体ドラム７１の相対的な位置を検出する図示せぬ基準位置センサを備えている。
【００２６】
搬送系７０Ｂは、用紙を収納するカセット８０ａ，８０ｂ、用紙サイズを検出するサイズ検出センサＳＥ１１，ＳＥ１２、用紙ガイド８１、タイミングローラ８２、搬送ベルト８３および再給紙部６００から搬入された用紙を搬送する水平搬送ローラ８６ａ〜８６ｃなどからなる。
【００２７】
定着系７０Ｃは、用紙上のトナー像を熱と圧力により定着しながら搬送する定着ローラ８４、排出ローラ８５および用紙の排出を検出する排出センサＳＥ６２などからなる。
【００２８】
再給紙部６００は、排出ローラ８５から排出された用紙を一旦収納し、両面モードのときには表裏を反転して、合成モードのときには表裏反転を行なわずに、再度の画像形成（プリント）のために搬送系７０Ｂの水平搬送ローラ８６ａに搬入する循環式のものである。再給紙部６００は、排紙トレイ６２１への排出と再給紙とを切換えるための切換爪６０１、搬送ローラ６０２、反転ローラ６０３および反転センサＳＥ６１などから構成されている。
【００２９】
両面モードにおいては、図示しないソレノイドによって切換爪６０１の左端部が上方に移動する。これによって排出ローラ８５から排出された用紙が搬送ローラ６０２の方に誘導され、搬送ローラ６０２を通って反転ローラ６０３に達する。
【００３０】
用紙の後端が反転センサＳＥ６１に達すると、反転ローラ６０３が反転する。この反転によって用紙が水平搬送ローラ８６ａの方へと搬送され、さらに、水平搬送ローラ８６ｂ，８６ｃ、中間ローラ８７を通ってタイミングローラ８２まで達して待機する。
【００３１】
このとき、次の用紙も順次所定の間隔で搬送されてきている。片面にプリントされた用紙が、搬送ローラ６０２，６０３および水平搬送ローラ８６ａ〜８６ｃを含む複写経路に待機できる枚数は、画像データの遅延がないとした場合には、用紙と複写経路の長さに依存することになる。本実施の形態においては、待機できる原稿の枚数は最大３枚とする。なお、中間ローラ８７の手前には、給紙されてきた用紙の先端を検出するセンサＳＥ８８が配置されている。
【００３２】
原稿搬送部５００は、原稿給紙トレイ５１０上にセットされた原稿を、自動的に原稿ガラス１８上に搬送し、スキャナ１９によって原稿の表面（下面）を読取ったあと、原稿排出部５１１へ排出する。
【００３３】
図２は、複写機１の制御回路の構成を示すブロック図である。図２を参照して、制御回路は、基本回路４００が備えている。基本回路４００は、制御用プログラムに従って、複写機１の各部を制御する。基本回路４００は、その内部に、制御用プログラムを記憶しているＲＯＭと、その制御用プログラムに従って制御動作を行なうＣＰＵと、ＣＰＵのワーク用メモリとして機能するＲＡＭと、入出力ポートと、クロック発生回路とを備えている。なお、基本回路４００の内部構成については、ＣＰＵを除いて図示を省略する。
【００３４】
基本回路４００の入出力ポートには、操作パネル１０１に備えられた各種のキー等から構成される入力装置４０３と、読取装置ＩＲを制御する読取装置制御部４０１と、プリンタ装置ＰＲＴを制御するプリンタ装置制御部４０２が接続されている。
【００３５】
また、図１を用いて説明した走査系１０と、画像信号処理部２０と、画像メモリ３０は、読取装置制御部４０１を介して制御され、印字処理部４０と、光学系６０と、作像系７０と、再給紙部６００を含む複写機１のその他の装置７００は、プリンタ装置制御部４０２を介して制御される。
【００３６】
図３は、図１の画像信号処理部２０の構成を示すブロック図である。
複写機１では、縮小光学系である走査系１０において原稿面からの反射光を光電変換素子（以下「ＣＣＤ」とする）１６上に結像させ、Ｒ，Ｇ，Ｂの各色分解情報に光電変換されたアナログ信号を得る。
【００３７】
Ａ／Ｄ変換部２０１は、ＣＣＤ１６から出力されるＲ，Ｇ，Ｂの各色分解情報に光電変換された４００ｄｐｉ（ｄｏｔ  ｐｅｒ  ｉｎｃｈ）の画像データを、Ｒ，Ｇ，Ｂの各色情報毎に、８ｂｉｔ（２５６階調）のデジタルデータに変換して、シェーディング補正部２０２に出力する。
【００３８】
シェーディング補正部２０２は、Ｒ，Ｇ，Ｂの各色毎に独立して、原稿読取りに先立ち、シェーディング補正用の白色板２１（図１参照）を読取ったデータを内部のシェーディングメモリに基準データとして格納する。そして、その基準データを逆数に変換した後、原稿情報の読取データと乗算して、シェーディング補正を行なう。そして、シェーディング補正後のデータを、ライン間補正部２０３に出力する。なお、シェーディング補正は、Ｒ，Ｇ，Ｂデータの主走査方向の光量ムラをなくすために行なう。
【００３９】
ライン間補正部２０３は、ＣＣＤ１６におけるＲ，Ｇ，Ｂの各センサチップの副走査方向（図１の矢印ｂ）の読取位置を合わせるために、走査速度（副走査側の変倍率に相当する）に応じて、内部のフィールドメモリを用いて、各色のデータをライン単位でディレイ制御する。
【００４０】
タイミング制御部２０４は、ＣＣＤ１６と、Ａ／Ｄ変換部２０１と、シェーディング補正部２０２と、ライン間補正部２０３に接続しており、これらを同期して動作できるよう制御する。
【００４１】
ライン間補正部２０３から出力されたＲ，Ｇ，Ｂの各色のデータは、変倍・移動制御部２０５と、ラインバッファ部２０６と、ヒストグラム生成部２０７に入力される。
【００４２】
変倍・移動制御部２０５では、Ｒ，Ｇ，Ｂの各データ毎に、変倍用のラインメモリを２個用いて、１ライン毎に入出力を交互に行なう。そしてこの書込みと読出のタイミングを独立して制御することで、主走査方向の変倍・移動の処理を行なう。そして、この処理の結果のＲ，Ｇ，Ｂの各データをＨＶＣ変換部２０８に出力する。この処理では、縮小時には書込み前に、拡大時には読出前に、それぞれ補間処理を行ない、画像の欠損やがたつきを防止している。また、変倍・移動制御部２０５は、イメージリピート処理や拡大連写処理、鏡像処理も行なう。
【００４３】
ラインバッファ部２０６は、変倍・移動制御部２０５における変倍・移動制御のため、１ライン分のＲ，Ｇ，Ｂ画像データを格納する。
【００４４】
ヒストグラム生成部２０７は、原稿の予備スキャンにおけるライン間補正後のＲ，Ｇ，Ｂデータから、明度信号を生成し、原稿のヒストグラムを生成する。得られたヒストグラムから、原稿がカラーであるか白黒であるかを判別するＡＣＳ判別処理や原稿の下地レベルのデータを自動的に飛ばす（抜く）処理（ＡＥ処理）のために、原稿の下地レベルの判断の基準設定を自動的に行なう。
【００４５】
ＨＶＣ変換部２０８は、Ｒ，Ｇ，Ｂの各データを明度データ（Ｖデータ）および色差信号（Ｃｒ，Ｃｂデータ）に一旦変換し、変換後のデータを、ディレイメモリＡ２１０、編集処理部２１１、紙幣認識部２１２に出力する。
【００４６】
編集処理部２１１は、入力されたＶ，Ｃｒ，Ｃｂの各データを受けてオプションであるエディタ（図示を省略する）の指定に基づいて、カラーチェンジや検出した原稿内の閉ループ領域の色付けなどの編集作業が行なう。
【００４７】
紙幣認識部２１２は、原稿台ガラス１８（図１参照）上に載置された原稿が、紙幣や有価証券等であるか否かを判断し、その結果に基づきコピーの禁止命令を発行する。
【００４８】
画像インターフェイス部２２８は、ディレイメモリＡ２１０からのＶ，Ｃｒ，Ｃｂデータを受けて、外部装置２２９にイメージデータを転送する。なお、この転送において、外部装置２２９における様々なイメージデータについての色信号インターフェイスに対応するため、画像インターフェイス部２２８は、必要に応じて、Ｖ，Ｃｒ，Ｃｂデータを、汎用色空間であるＸ，Ｙ，Ｚ信号やＬ＊，ａ＊，ｂ＊信号などに変換して、外部装置２２９に出力できる。
【００４９】
ここで、外部装置２２９とは、複写機１とは別の装置であり、たとえば読取装置ＩＲで読取った画像をプリントするプリンタである場合もあるし、プリンタ装置ＰＲＴにプリントさせる画像データを複写機１に送信してくるパーソナルコンピュータである場合もある。そして、画像インターフェイス部２２８を上記のように構成することにより、外部装置２２９がプリンタや表示モニタ等である場合にも、対応できる。
【００５０】
なお、画像インターフェイス部２２８は、後述の画像メモリ３０に出力するＢｋ，Ｙ，Ｍ，Ｃの各データを外部装置２２９に転送したり、外部装置２２９から出力されるＢｋ，Ｙ，Ｍ，ＣデータをＶ，Ｃｒ，Ｃｂデータに変換して画像メモリ３０に転送することもできる。
【００５１】
画像合成部２１４には、画像インターフェイス部２２８または編集処理部２１１から出力されたデータのうち一方がエディタ（図示を省略）の指定による選択信号と編集座標データに基いて選択されて入力される。そして、画像合成部２１４は、そのデータとＨＶＣ変換部２０９からディレイメモリＡ２１０を介して入力されたデータとを用いて画像合成処理（はめ込み・文字合成等）を行ない、処理結果であるＶ，Ｃｒ，Ｃｂデータは、ＨＶＣ調整部２１５に出力される。また、さらに、Ｖデータを、領域判別部２２５に出力し、Ｃｂ，Ｃｒデータを、極座標変換部２２４に出力する。
【００５２】
ＨＶＣ調整部２１５は、明度（Ｖ：明るさ）、色相（Ｈ：色合い）、彩度（Ｃ：あざやかさ）という人間の３感覚に対応した画像調整を行なう目的で、操作パネル１０１での設定に基づいてＨ，Ｖ，Ｃについてそれぞれ独立してＶ，Ｃｒ，Ｃｂデータを調整する。そして、調整結果であるＶ，Ｃｒ，Ｃｂデータを、ＡＥ処理部２１６に出力する。
【００５３】
ＡＥ処理部２１６は、ヒストグラム生成部２０７で得られた下地の判断の基準に基づいて、明度成分に対する原稿の下地レベルを制御する。そして、下地レベルを制御されたＶ，Ｃｒ，Ｃｂデータを、逆ＨＶＣ変換部２１７に出力する。逆ＨＶＣ変換部２１７は、Ｖ，Ｃｒ，Ｃｂデータを再度Ｒ，Ｇ，Ｂデータに変換し、ＬＯＧ補正部２１８、モノクロ／モノカラーデータ生成部２２１に出力する。
【００５４】
ＬＯＧ補正部２１８は、再変換されたＲ，Ｇ，Ｂデータを濃度データ（ＤＲ，ＤＧ，ＤＢ）に変換し、ＵＣＲ／ＢＰ処理部２１９に出力する。
【００５５】
モノクロ／モノカラーデータ生成部２２１は、Ｒ，Ｇ，Ｂデータから明度データを作成し、そこから、さらに、モノクロ再現用の階調データ（ＤＶ）を作成し、色データ選択部２２２に出力する。
【００５６】
なお、ＬＯＧ補正部２１８とＵＣＲ／ＢＰ処理部２１９とマスキング処理部２２０により、色補正部が構成されている。
【００５７】
ＵＣＲ／ＢＰ処理部２１９は、再変換されたＲ，Ｇ，Ｂデータの最大値と最小値の差（ＭＡＸ（Ｒ，Ｇ，Ｂ）−ＭＩＮ（Ｒ，Ｇ，Ｂ））を原稿彩度情報とし、ＬＯＧ補正部２１７からの濃度データの最小値（ＭＩＮ（ＤＲ，ＤＧ，ＤＢ））を原稿の下色成分とし、ＤＲ，ＤＧ，ＤＢデータに原稿彩度情報と下色成分とに応じたＵＣＲ・ＢＰ処理（下色除去・墨加刷）を施したＣＯ，ＭＯ，ＹＯ, Ｂｋの各データを生成する。ＣＯ，ＭＯ，ＹＯデータは、マスキング処理部２２０に出力され、Ｂｋデータは色データ選択部２２２に出力される。
【００５８】
なお、Ｒ，Ｇ，Ｂデータの最大値および最小値とは、原稿を予備スキャンすることによって読取った濃度データの最大値および最小値である。また、下色成分は、濃度データの最小値（ＭＩＮ（ＤＲ，ＤＧ，ＤＢ）である。また、下色除去とは、Ｒ，Ｇ，Ｂの各データから、濃度データの最小値（ＭＩＮ（ＤＲ，ＤＧ，ＤＢ）を差引いたものである。また、墨加刷とは、入力されるＲ，Ｇ，Ｂの共通成分を、強制的に黒成分として置換えることである。
【００５９】
マスキング処理部２２０は、プリンタのカラートナーに対応した色再現用のＣ，Ｍ，Ｙデータを生成するため、ＣＯ，ＭＯ，ＹＯデータに対して演算処理を施し、演算結果を、色データ選択部２２２に出力する。
【００６０】
そして、色データ選択部２２２は、操作パネル１０１において設定された場合、または、ＡＣＳ判別の結果カラー原稿でなく白黒原稿であると判断された場合には、白黒コピーモードとして、モノクロ用のＤＶデータを、ディレイメモリＢ２３３を介してＭＴＦ補正部２２６に出力する。また、ＡＣＳ判別の結果カラー原稿であると判断された場合は、フルカラーモードとして読取装置制御部４０１（図２参照）から送信される再現工程信号（ＣＯＤＥ１，０）に従って、Ｃ，Ｍ，Ｙ再現工程時にはマスキング演算処理データ（Ｃ，Ｍ，Ｙデータ）を、Ｂｋ再現工程時にはＢＰ処理データ（Ｂｋデータ）を選択的にＭＴＦ補正部２２６に出力する。なお、ＡＣＳ判別とは、ヒストグラム生成部２０７で生成されたヒストグラムを所定の閾値と比較して、カラー原稿かモノクロ原稿かを判別することである。
【００６１】
一方、極座標変換部２２４は、入力されるＣｒ，Ｃｂ信号を極座標データに変換する処理を行ない、生成したＷデータを領域判別部２２５に出力する。
【００６２】
領域判別部２２５は、画像合成部２１４から出力されたＶデータと極座標変換部２２４から出力されたＷデータを所定の閾値と比較することにより、黒文字判別や網点判別などの判別が行ない、その結果（ＪＤ信号）と補正データ（ＵＳＭ信号）を、ＭＴＦ補正部２２６に出力する。また、領域判別部２２５は、画像領域と文字領域とを画像形成において適切に再現し、かつ、画像の粒状性を保つために、プリント時の画像再現周期を可変にするＬＩＭＯＳ信号を、画像メモリ３０に出力する。
【００６３】
ＭＴＦ補正部２２６は、ディレイメモリＢ２２３から出力されるＣ，Ｍ，Ｙ，Ｂｋデータに対して、領域判別部２２５から出力されるＪＤ信号およびＵＳＭ信号を用いて、エッジ強調、色にじみ補正、スムージング等の処理を行ない、コピー画像として最適なデータに補正する。そして補正したデータを、γ補正／カラーバランス調整部２２７に出力する。
【００６４】
γ補正／カラーバランス調整部２２７は、操作パネル１０１から入力された濃度レベル情報に応じて、γカーブやＣ，Ｍ，Ｙ，Ｂｋのカラーバランスの調整を行ない、調整後のＣ，Ｍ，Ｙ，Ｂｋデータを、画像メモリ３０に出力する。また、γ補正／カラーバランス調整部２２７が出力するＣ，Ｍ，Ｙ，Ｂｋデータは、前述のように、画像インターフェイス部２２８を介して、外部装置２２９にも転送される。
【００６５】
以上、図３を用いて説明したように、画像信号処理部２０は、画像メモリ３０に、プリント時の画像再現周期を可変にするＬＩＭＯＳ信号とともに、ＣＣＤ１６からの画像データに種々の補正を加えたＣ，Ｍ，Ｙ，Ｂｋデータを出力する。
【００６６】
そして、画像メモリ３０は印字処理部４０にこれらのデータを出力し、これらのデータに従ってプリンタ装置ＰＲＴが制御され、複写機１は、４００ｄｐｉ・２５６階調のフルカラーコピー画像を形成するのである。
【００６７】
図４は、図１の複写機１が備える操作パネル１０１を示す図である。操作パネル１０１は、タッチパネル１０２と、テンキー１０３と、クリアキー１０４と、開始キー１０５と、ストップキー１０６と、パネルリセットキー１０７とを備えている。
【００６８】
タッチパネル１０２は、各種の画面やメッセージを表示し、たとえばＬＣＤから構成される。テンキー１０３は、プリント枚数やプリント倍率等の数値を入力するためのものである。クリアキー１０４は、テンキー１０３により入力されたプリント枚数を“１”に戻したり、入力されたプリント倍率をクリアするためのキーである。開始キー１０５は、プリント動作を開始させるためのキーである。ストップキー１０６は、連続プリント動作を停止させるキーである。パネルリセットキー１０７は、設定した複写条件をすべて解除し初期状態に戻すためのキーである。
【００６９】
図５は、複写機１の特徴である拡大連写処理のフローチャートであり、図６〜図１１は、拡大連写処理におけるタッチパネル１０２の表示態様を示す図である。以下、図５〜図１１を参照して、複写機１における拡大連写処理について説明する。なお、拡大連写処理は、前述のように、画像信号処理部２０の変倍・移動制御部２０５（図３参照）が、ＣＣＤ１６から入力されたデータを、後述する出力サイズに応じて変換することににより、行なわれる。
【００７０】
複写機１での、拡大連写処理とは、１枚の原稿の画像を拡大して、その画像を複数枚のコピー用紙にわたって形成する処理を言う。そして、複写機１のような、拡大連写処理が可能な複写機を、「拡大連写機能を有する複写機」というのである。
【００７１】
なお、ここで「１枚の原稿」とは、原稿台ガラス１８に一度に載置させることができる量の原稿を意味する。原稿台ガラス１８は、Ａ３サイズの原稿まで載置できるように構成されているので、原稿台ガラス１８にはＡ４サイズの原稿を同時に並べて２枚載置することも可能である。このように２枚並べて載置されたＡ４サイズの原稿を、一度に読取ってコピーする場合は、「１枚の原稿」は、原稿台ガラス１８上に並べて載置された２枚のＡ４サイズの原稿を指す。
【００７２】
まず、ステップＳ（以下、「ステップ」を省略する）６００では、タッチパネル１０２に、基本画面を表示する。図６に、基本画面６００を示す。基本画面６００は、複写機１の基本モードを選択するための画面である。なお、複写機１は、後述する一連の表示態様のいずれにおいても、パネルリセットキー１０７を押下されることにり、タッチパネル１０２に基本画面６００を表示するよう構成されている。
【００７３】
基本画面６００は、プリントの濃さ、プリント倍率、プリント用紙をそれぞれ初期設定から変更して設定したいときに押下する濃度キー６０５，倍率キー６０６，用紙キー６０７が表示されている。なお、γ補正／カラーバランス調整部２２７（図３参照）において参考とされる濃度レベル情報とは、濃度キー６０５を押下した後に行なわれる濃度レベルの設定であるが、濃度レベル設定は既知の態様により行なわれることから、詳細な説明は省略する。
【００７４】
また、基本画面６００には、コピー形式メニュー、画質メニュー、またはクリエイトメニューをそれぞれタッチパネル１０２に表示させるためのコピー形式キー６０２，画質キー６０３，クリエイトキー６０４も表示される。ここで、コピー形式メニューとは、たとえば、複写原稿を用紙の両面に複写する両面複写や２枚の複写原稿の画像情報を１枚の用紙に複写するなど、原稿の種類と希望する複写の種類の組合せに関するメニューである。また、画質メニューとは、画像の読取の解像度を変化させるメニューであり、プリントする原稿の種類によってユーザが適宜選択する。
【００７５】
クリエイトキーが押下されると（Ｓ６０１でＹＥＳ）、Ｓ６０２に進み、クリエイトメニューをタッチパネル１０２に表示する処理がなされ、Ｓ６０３に進む。
【００７６】
図７に、Ｓ６０３でタッチパネル１０２に表示される画面６１０を示す。
画面６１０では、原稿の画像を拡大したものを複数の用紙にわたってプリントする拡大連写キー６１１の他に、フルカラーの原稿を単一の色の濃淡でプリントするためのモノカラーキーや、原稿の背景部に所望の色をつけてプリントするためのベースカラーキーや、原稿の着色部と非着色部とを反転させてプリントするためのネガポジ反転キーや、フルカラーの原稿をＭ，Ｃ，Ｙ，Ｂｋの各色の成分に１枚ずつ分解してプリントするための色分解キーや、原稿に対する主走査方向と副走査方向に対して別々のプリント倍率を設定するためのタテヨコ変倍キーや、原稿の画像を１枚の用紙に複数回繰返してプリントするためのイメージリピートキーや、原稿の鏡像（原稿の原稿台ガラス１８に対して面対称である像）をプリントするための鏡像キーや、原稿の画像をはがきサイズで繰返しプリントするはがき連写キーが表示されている。
【００７７】
そして、拡大連写キー６１１が押下されると（Ｓ６０３でＹＥＳ）、「クリエイト・拡大連写・原稿サイズ選択」画面を表示する。図８に、クリエイト・拡大連写・原稿サイズ選択」画面６２０を示す。
【００７８】
画面６２０では、拡大連写メニューにおいて原稿のサイズを入力するための、Ａ３横キー６２１を含む、Ａ４縦，横、Ｂ５縦，横等の原稿サイズを示すキーが表示されている。なお、原稿サイズにおいて「縦」とは、前述の原稿に対する主走査方向が原稿の長手方向と一致する場合を意味し、「横」とは、副走査方向が原稿の長手方向に一致する場合を意味する。
【００７９】
選択する原稿サイズ（ここでは、「Ａ３横」を選択したものとする）に対応するキーが押下され（Ｓ６０５）、ＯＫキー６２２が押下されると（Ｓ６０６でＹＥＳ）、Ｓ６０７に進み、「クリエイト・拡大連写・出力方法選択」画面を表示する。
【００８０】
図９に「クリエイト・拡大連写・出力方法選択」画面６３０を示す。
画面６３０では、原稿に対して出力したい画像サイズをテンキー１０３を用いて数値入力するための実寸サイズキー６３１と、出力したい画像サイズを用紙の定期サイズで指定するする定型サイズキーと、倍率で指定する倍率キーとが表示されている。
【００８１】
Ｓ６０７で実寸サイズキー６３１、定型サイズキー、倍率キーの中から所望の出力方法に対応するキーを押下して（ここでは反転表示されている実寸サイズキーが押下されたことにする）出力方法を設定し（Ｓ６０８）、ＯＫキー６３２が押下されると（Ｓ６０９でＹＥＳ）、Ｓ６１０に進み、出力したい画像のサイズ（出力サイズ）の入力可能範囲を演算する処理が行ない、Ｓ６１１に進む。
【００８２】
なお、出力サイズとは、原稿の画像を拡大して出力するプリント用紙に出力する場合の画像の出力領域である。
【００８３】
この入力可能範囲の演算は、原稿の主走査方向と副走査方向に対して互いに独立して行なう。
【００８４】
また、入力可能範囲の演算は、Ｓ６０５で設定された原稿サイズと複写機１の拡大能力とを考慮して行なう。なお、Ｓ６０５で設定された原稿サイズは、画面６２０（図８参照）に表示された定型サイズから選択して入力したが、画面６２０の非定型キーを押下すれば、主走査方向、副走査方向のそれぞれの長さで直接入力することができる。
【００８５】
複写機１では、拡大連写機能において、１枚の原稿に対して使用されるプリント用紙は４枚までとしており、縦横ともに０．５〜２．０倍まで変倍（つまり縮小または拡大）が可能である。したがって、縦横ともに原稿サイズを１００ミリメートル（以下、「ｍｍ」と記載）と入力した場合には、出力サイズの入力可能範囲は５０〜２００ｍｍと決定されることになる。
【００８６】
一方、複写機１では、プリント用紙としては、最大Ａ３横の用紙を使用することができるとする。そして、たとえば、Ａ５横の原稿を拡大連写機能によりプリントしようとすると、備えられる最大のプリント用紙であるＡ３横の用紙を最大限である４枚使用する場合には、縦横ともに４．０倍の拡大倍率に相当する出力サイズをを入力することが可能であると考えられるが、複写機１の拡大可能な倍率が最大２．０倍であることから、原稿サイズとしてＡ５横が入力された場合にこのような出力サイズは入力可能範囲の範囲外とされるのである。
【００８７】
Ｓ６１１では、「クリエイト・拡大連写・実寸サイズ入力」画面をタッチパネル１０２に表示し、Ｓ６１２に進む。
【００８８】
図１０に、「クリエイト・拡大連写・実寸サイズ入力」画面６４０を示す。この画面６４０は、前述の出力サイズを入力して設定するための画面である。
【００８９】
画面６４０には、原稿のｘ方向（たとえば主走査方向）の出力サイズを入力するｘサイズ設定部６４３と原稿のｙ方向（たとえば副走査方向）の出力サイズを入力するｙサイズ設定部６４５が表示されている。ｘ方向の出力サイズはｘキー６４１を押下して反転表示させて、また、ｙ方向の出力サイズはｙキー６４２を押下して反転表示させて、それぞれテンキー１０３（図４参照）を用いて入力する。なお、両サイズは、ｍｍ単位で入力可能である。
【００９０】
また、ｘサイズ設定部６４３、ｙサイズ設定部６４５のそれぞれの下部には、Ｓ６１０での演算結果であるｘ，ｙ方向のそれぞれの出力サイズの入力可能範囲の表示部６４４，６４６が表示されている。図１０では、この場合、出力サイズについて、ｘ方向の入力可能範囲は４２０〜２５２０ｍｍであり、ｙ方向の入力可能範囲は２９７〜１７８２ｍｍである。なお、複写機１では、ｘ，ｙ各方向の出力サイズの入力は、上記の入力可能範囲内であれば、任意の値をｍｍ単位で入力することができる。そして、ここで入力される出力サイズにより、拡大連写処理における原稿の画像の拡大倍率が、自動的に、縦横それぞれ独立に決定されるのである。
【００９１】
Ｓ６１２では、「クリエイト・拡大連写・実寸サイズ入力」画面において出力サイズを設定（入力）し、Ｓ６１３に進む。
【００９２】
Ｓ６１２で出力サイズを設定（入力）すると、図１０の画面６４０は、図１１に示す画面６５０になる。なお、図１１の画面６５０では、ｘ方向の出力サイズが１５００ｍｍと入力され、ｙ方向の出力サイズが１０００ｍｍと入力されている。
【００９３】
図１１のように、「クリエイト・拡大連写・実寸サイズ入力」画面において出力サイズを設定（入力）した状態でＯＫキー６５１（図１１参照）が押下されると、Ｓ６１３で、Ｓ６１２で設定（入力）した出力サイズが、Ｓ６１０の演算結果である入力可能範囲内であるか否か判断する。範囲内であれば、Ｓ６１４に進み、図６に示した「基本」画面６００を、タッチパネル１０２（図４参照）に表示し、Ｓ６１５に進む。範囲外であれば、範囲内の出力サイズが入力されるまで、Ｓ６１２に戻る。
【００９４】
Ｓ６１５で、上記のような拡大連写処理における各条件の設定の後、開始キー１０５の押下を確認されれば（ＹＥＳ判断時）、Ｓ６１６で、設定した各条件に従った拡大連写機能によるプリントを行ない、拡大連写処理を終了する。
【００９５】
本実施形態の複写機１は、上記のような拡大連写処理において、Ｓ６１０での演算結果である入力可能範囲内の、ユーザの入力する任意の出力サイズで、画像形成を行なうことができる。これにより、拡大連写処理において、ユーザの所望の出力サイズでの、画像形成が可能となるのである。
【００９６】
ここで、ＣＣＤ１６からの画像データが入力されるＡ／Ｄ変換部２０１により、用紙の第１の枚数分のデータである第１の画像データを受付けるデータ入力部が構成されている。
【００９７】
また、図８の画面６２０における各原稿サイズに対応するキーにより、第１の画像データのサイズを入力する第１サイズ入力部が構成されている。なお、複写機１は、原稿が定型サイズでない場合には、画面６２０の非定型キーが押下されることにより、任意の原稿サイズを入力できるように構成されている。
【００９８】
また、出力サイズの入力可能な範囲の演算を行なうＳ６１０により、第１サイズ入力部において入力されたサイズに従って、入力可能な出力サイズの範囲である可能出力範囲を算出するサイズ算出部が構成されている。
【００９９】
また、図１０の画面６４０において表示される、ｘ，ｙ方向のそれぞれの出力サイズの入力可能範囲の表示部６４４，６４６により、可能出力範囲を表示する可能範囲表示部が構成されている。
【０１００】
そして、ＣＣＤ１６から入力された画像データに、拡大連写処理のための画像データの変換を行なう変倍・移動制御部２０５により、第１の画像データを、可能出力範囲内でユーザが任意に入力した出力サイズに従って画像のサイズを変更するよう加工することにより、用紙の第１とは異なる第２の枚数分のデータである第２の画像データに変換するデータ変換部が構成されている。
【０１０１】
なお、本実施の形態においては、ユーザが任意に入力した出力サイズは、原稿の画像を拡大するものであるが、本発明は、これに限定されるものではない。原稿の画像サイズを変更して、その画像を原稿の枚数と異なった枚数のコピー用紙にわたり形成するようなものであれば、原稿の画像を縮小する場合であってもよい。
【０１０２】
また、複写機１は、外部装置２２９から入力されたデータに、上記の拡大連写処理を施すことも可能である。この場合、画像インターフェイス部２２８により、データ入力部が構成されることになる。
【０１０３】
また、画像メモリ３０に記憶されたデータに従って画像を形成するプリンタ装置ＰＲＴにより、第２の画像データに従って画像を形成する画像形成部が構成されている。
【０１０４】
なお、今回開示された実施の形態は、全ての点で例示であって制限的なものではないと考えられるべきである。本発明の範囲は、上記した説明ではなく前掲の特許請求の範囲によって示され、特許請求の範囲と均等の意味および範囲内での全ての変更が含まれることが意図される。
【図面の簡単な説明】
【図１】本発明の画像を処理する装置の一例であるデジタルフルカラー複写機を示す断面図である。
【図２】図１の複写機の制御回路の構成を示すブロック図である。
【図３】図１の画像信号処理部の構成を示すブロック図である。
【図４】図１の複写機が備える操作パネルを示す図である。
【図５】図１の複写機の拡大連写処理のフローチャートである。
【図６】図１の複写機の拡大連写処理における、タッチパネルの表示態様を示す図である。
【図７】図１の複写機の拡大連写処理における、タッチパネルの表示態様を示す図である。
【図８】図１の複写機の拡大連写処理における、タッチパネルの表示態様を示す図である。
【図９】図１の複写機の拡大連写処理における、タッチパネルの表示態様を示す図である。
【図１０】図１の複写機の拡大連写処理における、タッチパネルの表示態様を示す図である。
【図１１】図１の複写機の拡大連写処理における、タッチパネルの表示態様を示す図である。
【符号の説明】
１  複写機
１０  走査系
１６  光電変換素子（ＣＣＤ）
２０  画像信号処理部
３０  画像メモリ
４０  印字処理部
６０  光学系
７０  作像系
１０１  操作パネル
１０２  タッチパネル
６００，６１０，６２０，６３０，６４０，６５０  画面
【図１】
0003645681.tif 000002
【図２】
0003645681.tif 000003
【図３】
0003645681.tif 000004
【図４】
0003645681.tif 000005
【図５】
0003645681.tif 000006
【図６】
0003645681.tif 000007
【図７】
0003645681.tif 000008
【図８】
0003645681.tif 000009
【図９】
0003645681.tif 000010
【図１０】
0003645681.tif 000011
【図１１】
0003645681.tif 000012